(57)【特許請求の範囲】
【請求項１】
絵画、写真又は書画からなる矩形板状の美術品の周縁を飾る紙製額縁であって、
前記美術品の左右に装着される対となる縦枠と、該縦枠と同一断面であって、前記美術品の上下に装着される対となる横枠とを備え、前記縦枠と前記横枠の両側端部は斜めに切断されて前記縦枠と前記横枠が隙間無く連結され、しかも、前記両側端部を除く前記縦枠及び前記横枠は、裏板部と、該裏板部の外側に底端が第１の直角Ｖ字切欠きを折り曲げて直角に連結かつ接合される外側板部と、該外側板部の表端に外端が第２の直角Ｖ字切欠きを折り曲げて直角に連結かつ接合される表板部と、該表板部の内端に表端が第３の直角Ｖ字切欠きを折り曲げて直角に連結かつ接合される内側板部と、それぞれ厚紙からなる前記裏板部、前記外側板部、前記表板部、及び前記内側板部の外側表面を連続して覆う紙製又は合成樹脂製の化粧シートとを有していることを特徴とする紙製額縁。
【請求項２】
請求項１記載の紙製額縁において、前記裏板部、前記外側板部、前記表板部、及び前記内側板部には、裏面に前記化粧シートが貼着された厚みが２〜５ｍｍのチップボード紙が使用されていることを特徴とする紙製額縁。
【請求項３】
請求項１又は２記載の紙製額縁において、前記裏板部の幅寸法をａとした場合、前記外側板部の幅は（１．７〜２．５）ａ、前記表板部の幅は（０．８〜１．２）ａ、前記内側板部の幅は（０．５〜１）ａの範囲にあることを特徴とする紙製額縁。
【請求項４】
請求項１〜３のいずれか１記載の紙製額縁において、前記裏板部、前記外側板部、及び前記表板部で囲まれる溝形空間には、スペーサが設けられていることを特徴とする紙製額縁。
【請求項５】
絵画、写真又は書画からなる矩形板状の美術品の周縁を飾る紙製額縁であって、
前記美術品の左右に装着される対となる縦枠と、該縦枠と同一断面であって、前記美術品の上下に装着される対となる横枠とを備え、前記縦枠と前記横枠の両側端部は斜めに切断されて前記縦枠と前記横枠が隙間無く連結され、しかも、前記両側端部を除く前記縦枠及び前記横枠は、裏板部と、該裏板部の外側に底端が第１の直角Ｖ字切欠きを折り曲げて直角に連結かつ接合される外側板部と、該外側板部の表端に外端が第２のＶ字切欠きを折り曲げて５０度以上９０度未満の角度で連結かつ接合される表板部と、該表板部の内端に表端が第３のＶ字切欠きを折り曲げて連結かつ接合されて前記外側板部と平行に配置される内側板部と、それぞれ厚みが２〜５ｍｍの厚紙からなる前記裏板部、前記外側板部、前記表板部、及び前記内側板部の外側表面を連続して覆う紙製又は合成樹脂製の化粧シートとを有していることを特徴とする紙製額縁。
【請求項６】
請求項１〜５のいずれか１記載の紙製額縁において、前記美術品はキャンバスに記載された絵画であって、その周囲が前記縦枠及び前記横枠の前記裏板部と前記内側板部の端面との間に装着されていることを特徴とする紙製額縁。
【発明の詳細な説明】
【技術分野】
【０００１】
本発明は、ボール紙等の厚紙（天然紙、合成紙のいずれも含む）を用いて製造し、絵画、写真、書画等の矩形の美術品の周縁に取付けて使用する紙製額縁に関する。
【背景技術】
【０００２】
従来の紙製組立式の額縁としては、例えば、特許文献１に記載のように、端を雄部と雌部によってそれぞれ連結した４つのフレーム材を四角枠状に組み合わせた主枠内材と、各フレーム材を内側にした外枠部材とを有し、更に、外枠部材は、フレーム材の表面に接合する表面接合部と、表面接合部の内側端に連接されて額縁表面となる表面化粧部と、表面化粧部の外側端に上端が連結される側面部と、側面部の下端に外側端が連接されて前記フレーム材の底面に接合される裏面接合部を有していた。
【先行技術文献】
【特許文献】
【０００３】
【特許文献１】特開２０００−１８９３０２号公報
【発明の概要】
【発明が解決しようとする課題】
【０００４】
しかしながら、特許文献１に記載の紙製組立額縁において、外枠部材を構成する表面接合部、表面化粧部、側面部及び裏面接合部は、それぞれ一枚の紙を折り曲げて形成していたので、厚い紙を使用すれば折り曲げることができないし、薄い紙を使用すれば折り曲げ易いが強度が不足し、曲がり等も発生して見栄えが悪いという問題があった。
また、両端に雄部と雌部がそれぞれ形成された４つのフレーム材を枠組として用意し、これに外枠部材を貼り付けるようにしていたので、精密加工を要する部品の点数が多く、更には、一旦製造した主枠内材と外枠部材とを所定寸法の額縁にしか使用できないという問題があった。
【０００５】
本発明はかかる事情に鑑みてなされたもので、曲がりや変形の生じ難い厚紙を使用し、しかも、予め用意する部品も少なく、作品の状況に応じて全体の寸法を適応させることも容易な紙製額縁を提供することを目的とする。
【課題を解決するための手段】
【０００６】
前記目的に沿う第１の発明に係る紙製額縁は、絵画、写真又は書画からなる矩形（正方形及び長方形を含む）板状の美術品の周縁を飾る紙製額縁であって、
前記美術品の左右に装着される対となる縦枠と、該縦枠と同一断面であって、前記美術品の上下に装着される対となる横枠とを備え、前記縦枠と前記横枠の両側端部は斜めに切断されて前記縦枠と前記横枠が隙間無く連結され、しかも、前記両側端部を除く前記縦枠及び前記横枠は、裏板部と、該裏板部の外側に底端が第１の直角Ｖ字切欠きを折り曲げて直角に連結かつ接合される外側板部と、該外側板部の表端に外端が第２の直角Ｖ字切欠きを折り曲げて直角に連結かつ接合される表板部と、該表板部の内端に表端が第３の直角Ｖ字切欠きを折り曲げて直角に連結かつ接合される内側板部と、それぞれ厚紙からなる前記裏板部、前記外側板部、前記表板部、及び前記内側板部の外側表面（露出面）を連続して覆う紙製又は合成樹脂製の化粧シートとを有している。
【０００７】
前記目的に沿う第２の発明に係る紙製額縁は、絵画、写真又は書画からなる矩形板状の美術品の周縁を飾る紙製額縁であって、
前記美術品の左右に装着される対となる縦枠と、該縦枠と同一断面であって、前記美術品の上下に装着される対となる横枠とを備え、前記縦枠と前記横枠の両側端部は斜めに切断されて前記縦枠と前記横枠が隙間無く連結され、しかも、前記両側端部を除く前記縦枠及び前記横枠は、裏板部と、該裏板部の外側に底端が第１の直角Ｖ字切欠きを折り曲げて直角に連結かつ接合される外側板部と、該外側板部の表端に外端が第２のＶ字切欠きを折り曲げて５０度以上９０度未満の角度で連結かつ接合される表板部と、該表板部の内端に表端が第３のＶ字切欠きを折り曲げて連結かつ接合されて前記外側板部と平行に配置される内側板部と、それぞれ厚みが２〜５ｍｍの厚紙からなる前記裏板部、前記外側板部、前記表板部、及び前記内側板部の外側表面（露出面）を連続して覆う紙製又は合成樹脂製の化粧シートとを有している。
【０００８】
第１、第２の発明に係る紙製額縁において、前記裏板部、前記外側板部、前記表板部、及び前記内側板部には、裏面に前記化粧シートが貼着された厚みが２〜５ｍｍのチップボード紙が使用されているのが好ましい。
【０００９】
第１、第２の発明に係る紙製額縁において、前記裏板部の幅寸法をａとした場合、前記外側板部の幅は（１．７〜２．５）ａ、前記表板部の幅は（０．８〜１．２）ａ、前記内側板部の幅は（０．５〜１）ａの範囲にあるのが好ましい。
【００１０】
第１、第２の発明に係る紙製額縁において、前記裏板部、前記外側板部、及び前記表板部で囲まれる溝形空間には、スペーサを設けることも可能である。
【００１１】
そして、前記美術品はキャンバスに記載された絵画であって、その周囲が前記縦枠及び前記横枠の前記裏板部と前記内側板部の端面との間に装着されているのが好ましい。
【発明の効果】
【００１２】
第１、第２の発明に係る紙製額縁においては、全体の額縁をそれぞれ対となる同一断面形状の縦枠と横枠によって構成できるので、構成部品が少なく安価に製造できる。
更に、製造にあっては、縦枠及び横枠を構成する部材を予め製造しておき、必要な長さに切断して縦枠及び横枠を構成できる。
【図面の簡単な説明】
【００１３】
【図１】本発明の第１の実施の形態に係る紙製額縁の正面図である。
【図２】図１における矢視Ａ−Ａ（Ｂ−Ｂ）断面図である。
【図３】同紙製額縁の縦枠及び横枠の展開図である。
【図４】本発明の第２の実施の形態に係る紙製額縁の正面図である。
【図５】図４における矢視Ｃ−Ｃ断面図である。
【図６】本発明の第３の実施の形態に係る紙製額縁の断面図である。
【発明を実施するための形態】
【００１４】
図１、図２に示すように、本発明の第１の実施の形態に係る紙製額縁１０は、美術品の一例である絵画が記載された矩形のキャンバス１１の周囲を飾るものであって、左右対となる縦枠１２、１３とこれに斜め４５度に切断された切り目１４〜１７で隙間なく連接される上下に対となる横枠１８、１９とを有している。以下これらについて詳しく説明する。
【００１５】
横枠１８、１９及び縦枠１２、１３の断面形状は全く同一となって、図２に示すように、斜めに切断された両側端部を除く横枠１８、１９及び縦枠１２、１３は、裏板部２１と、裏板部２１の外側に底端が第１の直角Ｖ字切欠き２２を折り曲げて直角に連結かつ接合される外側板部２３と、外側板部２３の表端に外端が第２の直角Ｖ字切欠き２４を折り曲げて直角に連結かつ接合される表板部２５と、表板部２５の内端に表端が第３の直角Ｖ字切欠き２６を折り曲げて直角に連結かつ接合される内側板部２７と、それぞれ厚紙からなる裏板部２１、外側板部２３、表板部２５、及び内側板部２７の外側表面を連続して覆う紙製又は合成樹脂製の化粧シート２８とを有している。
【００１６】
この裏板部２１、外側板部２３、表板部２５、及び内側板部２７には、図３に示すように、裏面に化粧シート２８が貼着された厚みが２〜５ｍｍのチップボード紙が使用され、展開状態、即ち、製造時には、第１〜第３の直角Ｖ字切欠き２２、２４、２６は、断面直角２等辺三角形の溝となって、該溝内に接着剤を塗布して、接合した場合、裏板部２１、外側板部２３、表板部２５、及び内側板部２７がそれぞれ直角状態で連接されるようになっている。この場合、上記直角二等辺三角形の溝の底には化粧シート２８が露出するのが好ましいが、チップボード紙の一部を残してもよい。
【００１７】
そして、裏板部２１の幅寸法をａとした場合、外側板部２３の幅は（１．７〜２．５）ａ、表板部２５の幅は（０．８〜１．２）ａ、内側板部２７の幅は（０．５〜１）ａの範囲にある。通常ａは１５〜４０ｍｍの範囲であるが、本発明はこの寸法に限定されるものではない。
【００１８】
従って、この紙製額縁１０を製造する場合には、裏面に化粧シート２８が貼着されたチップボード紙を用意し、所定幅に切って、図３に示すように、所定位置に断面直角二等辺三角形の第１〜第３の直角Ｖ字切欠き２２、２４、２６を形成する。そして、この溝内に接着剤を塗布し、図２に示すように各辺を折り曲げて固着させる。
次に、所定寸法で斜め４５度に切断し、縦枠１２、１３及び横枠１８、１９を製造する。なお、図２に示すように、裏板部２１の表端面と内側板部２７の下端との距離ｄは、装着しようとするキャンバス１１の厚みより僅少の長さ（例えば、０．２〜１ｍｍ程度）大きくしておく。
【００１９】
縦枠１２、１３の外側板部２３の内側寸法ｍは、キャンバス１１の横寸法より長く、好ましくは外側板部２３とキャンバス１１の端面との間に僅少の範囲（例えば、０〜２ｍｍ）の隙間が形成され、横枠１８、１９の外側板部２３の内側寸法ｎはキャンバス１１の縦寸法より長く、好ましくは外側板部２３とキャンバス１１の端面との間に僅少の範囲（例えば、０〜２ｍｍ）の隙間が形成されるように、縦枠１２、１３及び横枠１８、１９の長さを決定する。
【００２０】
続いて、図４、図５を参照しながら、本発明の第２の実施の形態に係る紙製額縁３０について説明するが、第１の実施の形態に係る紙製額縁１０と同一の構成要素については同一の番号を付して詳しい説明を省略する（以下の実施の形態においても同じ）。
この紙製額縁３０においては、例えばキャンバス１１に記載されている絵画が、キャンバス一杯に記載されていると、描かれた絵画の縁に表板部２５が被さることになる。そこで、裏板部２１、外側板部２３、及び表板部２５で囲まれる断面コ字状の溝形空間３２にスペーサ３３〜３６を配置した。
【００２１】
スペーサ３３〜３６は溝形空間３２の全域に配置してもよいし、部分的に配置してもよい。また、スペーサ３３〜３６は、キャンバス１１に記載されている絵画によってその厚みを調整し、これに応じて縦枠１２、１３及び横枠１８、１９の寸法を決定する。また、スペーサ３３〜３６の幅方向の厚みは等しいのが好ましいが、異なる場合もある。
【００２２】
次に、図６を参照しながら、本発明の第３の実施の形態に係る紙製額縁３８について説明する。
紙製額縁３８は、紙製額縁１０と同様、キャンバス１１の左右に装着される対となる縦枠３９と、縦枠３９と同一断面であって、キャンバス１１の上下に装着される対となる横枠４０とを備えている。この縦枠３９と横枠４０の両側端部は斜め４５度に切断されて縦枠３９と横枠４０が隙間無く連結されている。
【００２３】
そして、両側端部を除く縦枠３９及び横枠４０は、図６に示すように、裏板部２１と、裏板部２１の外側に底端が第１の直角Ｖ字切欠き２２を折り曲げて直角に連結かつ接合される外側板部４２と、外側板部４２の表端に外端が第２のＶ字切欠き４３を折り曲げて５０度以上９０度未満の角度θ１で連結かつ接合される表板部４４と、表板部４４の内端に表端が第３のＶ字切欠き４５を折り曲げて角度θ２で連結かつ接合されて外側板部４２と平行に配置される内側板部４６とを有している。更に、厚みが２〜５ｍｍの厚紙（チップボード紙）からなる裏板部２１、外側板部４２、表板部４４、及び内側板部４６の外側表面を連続して覆う紙製又は合成樹脂製の化粧シート４８を有している。
【００２４】
この紙製額縁３８の製造方法は、紙製額縁１０と同様であるが、第２、第３のＶ字切欠き４３、４５の溝角度が異なり、第２のＶ字切欠き４３は（１８０度−θ１）度、第３のＶ字切欠き４５は（１８０度−θ２）度となる。なお、θ１＋θ２＝１８０度となる。
【００２５】
本発明は前記実施の形態に限定されるものではなく、本発明の要旨を変更しない範囲での寸法変更、形状変更を行うこともできる。
また、化粧シート２８、４８の上に模様を記載することもできる。
なお、美術品として、写真、書画もある。
【符号の説明】
【００２６】
１０：紙製額縁、１１：キャンバス、１２、１３：縦枠、１４〜１７：切れ目、１８、１９：横枠、２１：裏板部、２２：第１の直角Ｖ字切欠き、２３：外側板部、２４：第２の直角Ｖ字切欠き、２５：表板部、２６：第３の直角Ｖ字切欠き、２７：内側板部、２８：化粧シート、３０：紙製額縁、３２：溝形空間、３３〜３６：スペーサ、３８：紙製額縁、３９：縦枠、４０：横枠、４２：外側板部、４３：第２のＶ字切欠き、４４：表板部、４５：第３のＶ字切欠き、４６：内側板部、４８：化粧シート
【図１】
0005508939.tif 000002
【図２】
0005508939.tif 000003
【図３】
0005508939.tif 000004
【図４】
0005508939.tif 000005
【図５】
0005508939.tif 000006
【図６】
0005508939.tif 000007